(57)【要約】【課題】ディスク型カッタにおいて、切藁長さを長短に切換え調節しても、常に藁詰まりが防止出来る排藁処理装置を提供する。【解決手段】自脱型コンバインの後部に装着したカッタケース内にディスク型カッタを収納し、上記カッタケースの後壁の内側上部に、上記ディスク型カッタにより持ち回られた切藁の上方への移動を阻止するプレートを上記後壁と一体的に設け、該プレートと上記ディスク型カッタとの間に切藁が通過する隙間を設けたこと、及びディスク型カッタを、長切りと短切りとに切替可能とした。【選択図】　　　　図２
2004008148.tif 000002
【特許請求の範囲】
【請求項１】
自脱型コンバインの後部に装着したカッタケース（１２）内にディスク型カッタ（Ｋ）を収納し、上記カッタケース（１２）の後壁（１２ａ）の内側上部に、上記ディスク型カッタ（Ｋ）により持ち回られた切藁の上方への移動を阻止するプレート（２４）を上記後壁（１２ａ）と一体的に設け、該プレート（２４）と上記ディスク型カッタ（Ｋ）との間に切藁が通過する隙間（Ｘ）を設けたことを特徴とする排藁処理装置。
【請求項２】
ディスク型カッタ（Ｋ）は、複数の小径刃（１７）と大径刃（１６）からなる切断刃を鋸刃軸（１５）上に装着し、該鋸刃軸（１５）を複数の掻込刃（１３）を有する掻込軸（１４）に対して遠近調節自在に構成することにより、排藁を長切りと短切りとに切替可能とした請求項１記載の排藁処理装置。
【発明の詳細な説明】
【０００１】
【発明の属する技術分野】
本発明は、自脱型コンバインに、ディスク型カッタを装着した排藁処理装置に関する。
【０００２】
【従来の技術】
従来、この種のディスク型カッタは、側面視で相互に内側上方で交差して回転する多数の掻込刃と切断刃とが平行な２つの軸に軸支され、これらが箱型を呈するカッタケース内に収納されていて、コンバインの本機より排出された排藁を上方から供給することにより、両刃の周速差で切断して下方に落下させるようにしていた。
【０００３】
【発明が解決しようとする課題】
しかしながら、上記従来装置のものでは、排藁を切断後に切断刃で持ち回られた切藁の一部が、高速で回転する切断刃の遠心力で切断刃から外れ、カッタケースの後壁内側に沿って上方に上り、カッタケースの上方に設けられた切換板の回動支点や上記切換板に設けた排藁案内用の案内ガイドの後部等に引っ掛かり、カッタ詰まりの原因となっていた。
そして、これらの藁詰まり現象は、特に、藁の切断長が大径刃の長切り状態において著しく、これは大径刃で切断された切藁の一部が隣接する小径刃にささり、後方に持ち廻られて遠心力で後壁に飛ばされて堆積する等の理由による。
本発明の目的は、上記従来の不具合を改善する点にある。
【０００４】
【課題を解決するための手段】
上記目的を達成するため、本発明においては、自脱型コンバインの後部に装着したカッタケース内にディスク型カッタを収納し、上記カッタケースの後壁の内側上部に、上記ディスク型カッタにより持ち回られた切藁の上方への移動を阻止するプレートを上記後壁と一体的に設け、該プレートと上記ディスク型カッタとの間に切藁が通過する隙間を設けたことを第１の特徴とする。
【０００５】
また、ディスク型カッタは、複数の小径刃と大径刃からなる切断刃を鋸刃軸上に装着し、該鋸刃軸を複数の掻込刃を有する掻込軸に対して遠近調節自在に構成することにより、排藁を長切りと短切りとに切替可能としたことを第２の特徴とする。
【０００６】
【発明の実施の形態】
本発明の実施の形態の一例を以下図面に基づいて説明する。図１は本願発明装置を備えた自脱型コンバインの要部の側断面図であって、１は脱穀部、２は選別部、３は排藁搬送部、４は排藁切断部（カッタ部）を示す。
【０００７】
従って、コンバイン前方の刈取部にて刈取られた穀稈は、フィードチェン６にてその株元部を挟持して搬送される間に穂先部が脱穀部１内で脱穀され、ここで脱穀された被選別物は下方の選別部２にて、穀粒と藁屑等に選別されて、穀粒は一番螺旋７で機体側方に横送りされた後、揚穀筒８にて穀粒タンク９内に一時的に収納され、藁屑等の排塵物は後方下方の排塵口１０より機外に排出されるものである。
一方、脱穀部１で脱穀作用を受けた排出穀稈（排藁）は、排藁搬送部３にて更に後方へ挟持搬送されるが、排藁の用途により、各種の排藁作業機（当実施例の場合はディスク型カッタで切断）を装着して夫々に処理される。
【０００８】
次に、図２乃至４は上記排藁切断部（カッタ部）の詳細を示し、図２は排藁の長切り状態の側断面図であり、図３は短切り状態の要部の側断面図、図４は図３のＡ−Ａ線方向から見た正面図である。
先ず、図２において、ディスクカッタＫは、箱型のカッタケース１２内に収納され、複数枚の掻込刃１３・・・がカラー（図示せず）を介して一定間隔で掻込軸１４に固着されると共に、上記掻込軸１４と平行な鋸刃軸１５には切断刃たる複数枚のディスク型の大径刃１６・・と、複数枚のディスク型の小径刃１７・・とをカラー１８・・を介して所定間隔で固着（図４参照）し、両軸１４，１５は符号Ｂ，Ｃで示す矢印の如く相互に反対方向に回転するようになっている。
そして、図２のものは側面視において、掻込刃１３と小径刃１７は交差させず、掻込刃１３と大径刃１６のみを交差させて排藁を大径刃１６部分だけ切断する長切り状態となっている。
【０００９】
１９は上記カッタケース１２の上方後部の回動支点２０により、図示外の操作レバーにより排藁をカッタ室２１内部に取込む起立姿勢と、カッタ室２１の外部に排出する倒伏姿勢とに切換える切換板であって、該切換板１９が起立時にその中間部から下方に向かう複数のガイド体２２・・を設けて、コンバイン本体から排出された排藁をカッタの切断位置Ｄに案内する役目を果している。
【００１０】
更に、上記カッタケース１２の後壁１２ａの内側上部には、カッタケース１２と一体的で切断刃側に向けたプレート２４が設けてあって、これは図４に記載の如く、カッタＫの横幅全体に亘っており、しかも、カッタケース１２の後壁１２ａは、カッタケース１２の枠体を上下方向から二重に重ねて、これらを複数の緊締具２５・・により、締結して構成される。
従って、カッタケース１２は後壁１２ａ部分が、上記プレート２４の存在と、二重の枠体とにより、強固に構成されるものである。
【００１１】
そして、上記プレート２４を側面視で見ると、その上端側が鉤型に折り曲げられており、プレート２４先端２４ａと大径刃１６の回転軌跡との隙間Ｘは、上記ガイド体２２の先端２２ａと大径刃１６の回転軌跡との隙間Ｌより小さくＬ＞Ｘの関係となるようになっている。
なお、上記隙間Ｘは余り狭いと、藁詰まりの原因となるため、適度の隙間にする必要があり、また、Ｌ＜Ｘとした場合には上記ガイド体２２の後部側に切藁が詰まることとなる。
更にまた、２６はカッタ室２１内部にあって、排藁を内部の切断位置Ｄに案内するための案内体であり、２７は切断藁が下方に落下する際にそれを周囲に散らさないように案内するスカート部である。
【００１２】
次に、図３は、上記図２の掻込刃１３と大径刃１６とが側面視で交差する排藁の長切り状態から、上記鋸刃軸１５を図示外の切替レバーにて切換えて掻込軸１４（固定）側により近づけた排藁の短切り状態を示し、掻込刃１３は大径刃１６に加えて小径刃１７も交差する状態を示している。
また、図４は、カッタ室２１の内側後部の横幅全体を表すものである。
なお、２８は上記鋸刃軸１５への動力伝動用のプーリを示す。
【００１３】
本発明の排藁処理装置は、以上のような構成よりなっており、コンバインの圃場での刈取収穫作業時において、脱穀部１で脱穀作用を受けた排藁は、排藁搬送部３にて後方に搬送されるが、この時、予め、図示外の切替レバーにより切換板１９を排藁切断用の起立姿勢にして掻込軸１４と鋸刃軸１５とに動力を伝達しておけば、両軸が相互に逆の矢印Ｂ，Ｃ方向に回転する。
そして、排藁搬送装置での挟持をカッタ室２１の上方で開放された排藁は、前方にある案内体２６と後方にあるガイド体２２とで前後の位置を案内されながら、カッタＫの切断位置Ｄに順次供給されて掻込刃１３と大小の切断刃との回転による周速差により所期の長さに切断処理されるものである。
【００１４】
即ち、長切り状態の場合には図２に示す如く、掻込刃１３と大径刃１６とが交差するので、図４で明白な如く排藁は長切り状態となり、これを図示外の切替レバーにて図３に示す如く短切り状態に切替えた場合には、同じく図４で示す如く排藁は短切り状態となるものである。
そして、切断された藁の大部分は、そのまま下方のスカート部２７で案内されて下方の圃場に落下するが、特に、長切り状態において、切藁の一部が大径刃１６で切断後小径刃１７にささり、小径刃１７の回転による遠心力で持ち廻られ、後壁１２ａの内側に当接して上方に上がり、切換板１９の回動支点２０やガイド体２２の後部空間Ｅに溜まろうとするが、本願の場合には、これらの大部分のものがプレート２４に当たり、そのまま下方に落下する。
【００１５】
本願は、このようにカッタＫの後壁１２ａの内側上壁に沿って上方に上がる切藁を、切藁の長短に関係なくプレート２４で阻止して、切藁がカッタケース１２内部に詰まるのを防止して切藁の搬出を促進するものである。
なお、隙間Ｘを通過した一部の切藁は、これに続くより広い隙間Ｌを通過して、再度切断刃で切断処理されることとなる。
【００１６】
【発明の効果】
本発明は、前記の如く、自脱型コンバインの後部に装着したカッタケース１２内にディスク型カッタＫを収納し、上記カッタケース１２の後壁１２ａの内側上部に、上記ディスク型カッタＫにより持ち回られた切藁の上方への移動を阻止するプレート２４を上記後壁１２ａと一体的に設け、該プレート２４と上記ディスク型カッタＫとの間に切藁が通過する隙間Ｘを設けたので、コンバインでの刈取収穫作業時に、カッタＫによる排藁の切断作業を行っても、切藁がカッタケース１２内部に詰まって、作業を中断したりするようなことがなくなり、切藁の搬出を促進するため、作業の効率化に寄与するものである。
しかも、プレート２４は、カッタケース１２の後壁１２ａ全幅に亘っているので、ケース１２の補強材ともなる。
更に、これを、排藁を長切りと短切りとに切替可能としたカッタＫに採用した場合には、その効果が著しいものとなる。
【図面の簡単な説明】
【図１】本願発明装置を備えた自脱型コンバインの要部の側断面図である。
【図２】同上排藁の長切り状態の側断面図である。
【図３】同上短切り状態の要部の側断面図である。
【図４】同上図３のＡ−Ａ線方向から見た正面図である。
【符号の説明】
３　排藁搬送部
４　排藁切断部（カッタ部）
１２　カッタケース
１２ａ　後壁
１３　掻込刃
１４　掻込軸
１５　鋸刃軸
１６　大径刃
１７　小径刃
１９　切換板
２１　カッタ室
２２　ガイド体
２４　プレート
Ｋ　カッタ
Ｄ　切断位置
Ｅ　空間
Ｘ，Ｌ　隙間
【図１】
2004008148.tif 000003
【図２】
2004008148.tif 000004
【図３】
2004008148.tif 000005
【図４】
2004008148.tif 000006